(57)【特許請求の範囲】
【請求項１】
コードブック生成方法であって、
以下の行列
【数１】
0005472884.tif 000034
のうち少なくとも1つに従って、コードブックサイズNおよびシンボルセットΨを決定する段階と、
【数２】
0005472884.tif 000035
個のタイプのコードブックをトラバースし、最小距離Dx、
【数３】
0005472884.tif 000036
を、各コードブックCxについて計算する段階と、
前記最小距離Dxに対応する最大コードブックCoptを選択する段階と、
を備え、
ここで、α、β、γ∈Ψ、|α|=1、|β|=1、|γ|=1であり、
ΨはM個の要素を含み、
【数４】
0005472884.tif 000037
であり、
【数５】
0005472884.tif 000038
は、前記コードブックCx内のi番目の行列を表すことを特徴とするコードブック生成方法。
【請求項２】
コードブックに基づくアップリンク送信方法であって、
ネットワーク機器から送出された変調モード、データ送信ランク、およびプリコーディングコードワードを受信する段階と、
前記変調モード、前記データ送信ランク、前記プリコーディングコードワード、および、ローカルに格納される前記コードブックCoptに従って、アップリンク送信増幅器の電力バックオフを決定し、データを送信する段階と、
を備え、
前記プリコーディングコードワードは、前記ネットワーク機器に格納されたコードブックCoptからランダムに選択された行列であり、
前記コードブックCoptは、以下の行列
【数６】
0005472884.tif 000039
のうち少なくとも1つを備え、|α|=1、|β|=1、|γ|=1であることを特徴とするコードブックに基づくアップリンク送信方法。
【請求項３】
前記コードブックCoptを生成する段階は、
コードブックサイズNおよびシンボルセットΨを決定する段階と、
【数７】
0005472884.tif 000040
個のタイプのコードブックをトラバースし、最小距離Dx、
【数８】
0005472884.tif 000041
を、各コードブックCxについて計算する段階と、
前記最小距離Dxに対応する最大コードブックCoptを選択する段階と、
を備え、
ここで、α、β、γ∈Ψであり、ΨはM個の要素を含み、
【数９】
0005472884.tif 000042
であり、
【数１０】
0005472884.tif 000043
は、前記コードブックCx内の前記i番目の行列を表していることを特徴とする請求項2に記載の方法。
【請求項４】
前記コードブックCoptによって決定される前記アップリンク送信増幅器の電力バックオフは、式
【数１１】
0005472884.tif 000044
を使用することによって算出されることを特徴とする請求項3に記載の方法。
【請求項５】
ユーザ機器であって、
ネットワーク機器から送出された変調モード、データ送信ランク、およびプリコーディングコードワードを受信するように構成された受信部と、
コードブックCoptを格納するように構成された格納部と、
前記変調モード、前記データ送信ランク、前記プリコーディングコードワード、および、前記格納部によって格納される前記コードブックCoptに従って、アップリンク送信増幅器の電力バックオフを決定するように構成された決定部と、
前記アップリンク送信増幅器の前記電力バックオフに従って、データを送信するように構成された送信部と、
を備え、
前記プリコーディングコードワードは、前記ネットワーク機器に格納された前記コードブックCoptからランダムに選択された行列であり、
前記コードブックCoptは、以下の行列
【数１２】
0005472884.tif 000045
のうち少なくとも1つを備え、|α|=1、|β|=1、|γ|=1であることを特徴とするユーザ機器。
【請求項６】
前記コードブックCoptを算出し、前記コードブックCoptを前記格納部へ格納するように構成された計算部をさらに備えることを特徴とする請求項5に記載のユーザ機器。
【請求項７】
前記受信部はさらに、前記コードブックCoptを受信し、前記コードブックCoptを前記格納部へ格納するように構成されることを特徴とする請求項6に記載のユーザ機器。
【請求項８】
ネットワーク機器であって、
変調モード、データ送信ランク、およびプリコーディングコードワードを選択するように構成された選択部と、
コードブックCoptを格納するように構成された格納部と、
前記変調モード、データ送信ランク、およびプリコーディングコードワードを、ユーザ機器へ送出するように構成された送出部と、
を備え、
前記プリコーディングコードワードは、格納部に格納された前記コードブックCoptからランダムに選択された行列であり、
前記コードブックCoptは、以下の行列
【数１３】
0005472884.tif 000046
のうち少なくとも1つを備え、|α|=1、|β|=1、|γ|=1であることを特徴とするネットワーク機器。
【請求項９】
前記コードブックCoptを算出し、前記コードブックCoptを前記格納部へ格納するように構成された計算部と、
をさらに備えることを特徴とする請求項8に記載のネットワーク機器。
【請求項１０】
前記コードブックCoptを受信し、前記コードブックCoptを前記格納部へ格納するように構成された受信部と、
をさらに備えることを特徴とする請求項8に記載のネットワーク機器。
【請求項１１】
コードブック生成装置であって、
以下の行列
【数１４】
0005472884.tif 000047
のうち少なくとも1つに従って、コードブックサイズNおよびシンボルセットΨを取得するように構成された取得モジュールと、
【数１５】
0005472884.tif 000048
個のタイプのコードブックをトラバースし、最小距離Dx、
【数１６】
0005472884.tif 000049
を、各コードブックCxについて計算するように構成された計算モジュールと、
前記最小距離Dxに対応する最大コードブックCoptを選択するように構成された選択モジュールと、
を備え、
α、β、γ∈Ψ、|α|=1、|β|=1、|γ|=1、かつ、ΨはM個の要素を含み、
【数１７】
0005472884.tif 000050
は、前記コードブックCx内のi番目の行列を表していることを特徴とするコードブック生成装置。
【発明の詳細な説明】
【技術分野】
【０００１】
本発明は通信技術に関し、より詳細には、コードブック、コードブック生成方法、アップリンク送信方法、およびコードブックに基づく機器に関する。
【背景技術】
【０００２】
コードブックに基づくアップリンクおよびダウンリンクプリコーディング方法は、大変重要な技術である。アップリンクおよびダウンリンクコードブックの設計は、アップリンクおよびダウンリンクの性能を大いに高めることができる。
【０００３】
新世代のセルラ無線移動通信システムでは、コードブックに基づく、成熟したダウンリンクプリコーディング方法が使用可能である。しかし、アップリンクプリコーディング方法がアップリンクスループットを向上させることができるような、コードブックに基づくアップリンクプリコーディング方法に対して提案されている解決法はない。この欠乏を補うため、現在の解決法は、ダウンリンクコードブックをそのままアップリンクコードブックとして使用して、プリコーディングを行うことである。
【０００４】
しかし、ダウンリンクコードブックをそのままアップリンクコードブックとして使用して、プリコーディングを行うことは、電力増幅器の電力損失を増す場合がある。
【発明の概要】
【発明が解決しようとする課題】
【０００５】
本発明の実施例は、電力増幅器の電力損失を低減するための、コードブック、コードブック生成方法、およびアップリンク送信方法、およびコードブックに基づく機器を対象とする。
【課題を解決するための手段】
【０００６】
上記の目的を達成するため、本発明の実施例は、以下のような技術的解決法を提供する。
【０００７】
コードブックが提供され、このコードブックは、以下の要素のうち1つまたは任意の組合せを含み、
【０００８】
【数１】
0005472884.tif 000002
【０００９】
ただし、|α|=1、|β|=1、|γ|=1である。
【００１０】
コードブック生成方法が提供され、この方法は、
以下の要素のうち1つまたは任意の組合せに従って、コードブックサイズNおよびシンボルセットΨを決定する段階であって、
【００１１】
【数２】
0005472884.tif 000003
【００１２】
ただし、α、β、γ∈Ψ、|α|=1、|β|=1、|γ|=1、かつ、ΨはM個の要素を含む段階と、
【００１３】
【数３】
0005472884.tif 000004
【００１４】
個のタイプのコードブックをトラバースし、最小距離Dx、
【００１５】
【数４】
0005472884.tif 000005
【００１６】
を、各コードブックCxについて計算する段階であって、
【００１７】
【数５】
0005472884.tif 000006
【００１８】
であり、かつ、
【００１９】
【数６】
0005472884.tif 000007
【００２０】
は、コードブックCx内のi番目の行列を表す段階と、
最小距離Dxに対応する最大コードブックCoptを選択する段階とを含む。
【００２１】
コードブックに基づくアップリンク送信方法が提供され、この方法は、
ネットワーク機器から送出された変調モード、データ送信ランク、およびプリコーディングコードワードを受信する段階であって、プリコーディングコードワードは、ネットワーク機器に格納されたコードブックCoptからランダムに選択された行列であり、コードブックCoptは、以下の要素のうち1つまたは任意の組合せを含み、
【００２２】
【数７】
0005472884.tif 000008
【００２３】
ただし、|α|=1、|β|=1、|γ|=1である段階と、
変調モード、データ送信ランク、プリコーディングコードワード、および、ローカルに格納されるコードブックCoptに従って、アップリンク送信増幅器のための電力バックオフを決定し、データを送信する段階と、を含む。
【００２４】
コードブックに基づくアップリンク送信方法が提供され、この方法は、
変調モード、データ送信ランク、およびプリコーディングコードワードを選択する段階であって、プリコーディングコードワードは、ローカルに格納されるコードブックCoptからランダムに選択された行列であり、コードブックCoptは、以下の要素のうち1つまたは任意の組合せを含み、
【００２５】
【数８】
0005472884.tif 000009
【００２６】
ただし、|α|=1、|β|=1、|γ|=1である段階と、
変調モード、データ送信ランク、およびプリコーディングコードワードを、ユーザ機器へ送出する段階と、を含む。
【００２７】
ユーザ機器は、
ネットワーク機器から送出された変調モード、データ送信ランク、およびプリコーディングコードワードを受信するように構成された受信部であって、プリコーディングコードワードは、ネットワーク機器に格納されたコードブックCoptからランダムに選択された行列であり、コードブックCoptは、以下の要素のうち1つまたは任意の組合せを含み、
【００２８】
【数９】
0005472884.tif 000010
【００２９】
ただし、|α|=1、|β|=1、|γ|=1である受信部と、
コードブックCoptを格納するように構成された格納部と、
変調モード、データ送信ランク、プリコーディングコードワード、および、格納部によって格納されるコードブックCoptに従って、アップリンク送信増幅器の電力バックオフを決定するように構成された決定部と、
アップリンク送信増幅器の電力バックオフに従って、データを送信するように構成された送信部と、を含む。
【００３０】
ネットワーク機器は、
変調モード、データ送信ランク、およびプリコーディングコードワードを選択するように構成された選択部であって、プリコーディングコードワードは、格納部に格納されたコードブックCoptからランダムに選択された行列であり、コードブックCoptは、以下の要素のうち1つまたは任意の組合せを含み、
【００３１】
【数１０】
0005472884.tif 000011
【００３２】
ただし、|α|=1、|β|=1、|γ|=1である選択部と、
コードブックCoptを格納するように構成された格納部と、
変調モード、データ送信ランク、およびプリコーディングコードワードを、ユーザ機器へ送出するように構成された送出部と、を含む。
【００３３】
コードブック生成装置は、
以下の要素のうち1つまたは任意の組合せに従って、コードブックサイズNおよびシンボルセットΨを取得するように構成された取得モジュールであって、
【００３４】
【数１１】
0005472884.tif 000012
【００３５】
ただし、α、β、γ∈Ψ、|α|=1、|β|=1、|γ|=1、かつ、ΨはM個の要素を含む取得モジュールと、
【００３６】
【数１２】
0005472884.tif 000013
【００３７】
個のタイプのコードブックをトラバースし、最小距離Dx、
【００３８】
【数１３】
0005472884.tif 000014
【００３９】
を、各コードブックCxについて計算するように構成された計算モジュールであって、
【００４０】
【数１４】
0005472884.tif 000015
【００４１】
であり、かつ、
【００４２】
【数１５】
0005472884.tif 000016
【００４３】
は、コードブックCx内のi番目の行列を表す計算モジュールと、
最小距離Dxに対応する最大コードブックCoptを選択するように構成された選択モジュールと、を含む。
【００４４】
本発明の実施例によって提供されるコードブック、コードブック生成方法、およびアップリンク送信方法、および機器によれば、新しいコードブックが出される。このコードブックがプリコーディングのために使用され、それにより、アップリンク電力増幅器の電力損失を低減することができる。
【００４５】
本発明または従来技術の技術的解決法をより明らかにするため、本発明の実施例または従来技術を例示するための添付の図面が以下で概説される。明らかに、添付の図面は例示のためのみであり、当業者はいかなる創造的な努力もなしに、そのような添付の図面から他の図面を導出することができる。
【図面の簡単な説明】
【００４６】
【図１】本発明の一実施例による、コードブックに基づくアップリンク送信方法の流れ図である。
【図２】本発明の別の実施例による、コードブックに基づくアップリンク送信方法の流れ図である。
【図３】本発明のさらに別の実施例による、コードブックに基づくアップリンク送信方法の流れ図である。
【図４】本発明の一実施例によるユーザ機器の構造図である。
【図５】本発明の一実施例によるネットワーク機器の構造図である。
【図６】本発明の一実施例によるコードブック生成装置の構造図である。
【発明を実施するための形態】
【００４７】
本発明の技術的解決法は、本発明の実施例において、添付の図面を参照して、明確かつ完全に以下に記載される。明らかに、これらの実施例は、本発明の実施例のすべてではなく、いくつかに過ぎない。本発明の実施例に基づいて、当業者によっていかなる創造的な努力もすることなく導出されるすべての他の実施例は、本発明の保護範囲内に入るべきである。
【００４８】
本発明の一実施例は、コードブックに基づくアップリンク送信方法を提供する。図1を参照すると、この方法は以下を含む。
【００４９】
S101:ネットワーク機器から送出された変調モード、データ送信ランク、およびプリコーディングコードワードを受信し、ただし、プリコーディングコードワードは、ネットワーク機器に格納されたコードブックCoptからランダムに選択された行列であり、コードブックCoptは、以下の要素のうち1つまたは任意の組合せを含み、
【００５０】
【数１６】
0005472884.tif 000017
【００５１】
ただし、|α|=1、|β|=1、|γ|=1である。
S102:変調モード、データ送信ランク、プリコーディングコードワード、および、ローカルに格納されるコードブックCoptに従って、アップリンク送信増幅器の電力バックオフを決定し、データを送信する。
【００５２】
ローカルに格納されたコードブックCoptは、ローカルに算出されたコードブックであってもよく、あるいは、ネットワーク機器によって送出されてもよく、あるいは、ユーザ機器内で直接構成されてもよい。
【００５３】
本発明の実施例によって提供されるアップリンク送信方法によれば、新しいコードブックCoptが出される。従来技術と比較すると、新しいコードブックの設計は、アップリンク送信増幅器の電力バックオフを低減し、よって、電力増幅器の電力損失を低減することが可能である。
【００５４】
本発明の一実施例は、コードブックに基づく別のアップリンク送信方法を提供する。図2を参照すると、この方法は以下を含む。
【００５５】
S201:変調モード、データ送信ランク、およびプリコーディングコードワードを選択し、ただし、プリコーディングコードワードは、ローカルに格納されるコードブックCoptからランダムに選択された行列であり、コードブックCoptは、以下の要素のうち1つまたは任意の組合せを含み、
【００５６】
【数１７】
0005472884.tif 000018
【００５７】
ただし、|α|=1、|β|=1、|γ|=1である。
【００５８】
S202:変調モード、データ送信ランク、およびプリコーディングコードワードを、ユーザ機器へ送出する。
【００５９】
ローカルに格納されたコードブックCoptは、ローカルに算出されてもよく、あるいは、ユーザ機器内で直接構成されてもよい。
【００６０】
本発明の実施例によって提供されるアップリンク送信方法によれば、新しいコードブックCoptが出される。新しいコードブックの設計は、アップリンク送信増幅器の電力バックオフを低減し、よって、電力増幅器の電力損失を低減することが可能である。
【００６１】
本発明のさらに別の実施例は、コードブックに基づくアップリンク送信方法を提供する。図3を参照すると、この方法は以下を含む。
【００６２】
S301:ユーザ機器が、測定基準信号をネットワーク機器へ送出する。
【００６３】
S302:ネットワーク機器が、ユーザ機器から測定基準信号を受信し、測定基準信号に従ってチャネル測定を行い、チャネル測定結果を取得する。
【００６４】
S303:ネットワーク機器が、チャネル測定結果に従って、変調モード、データ送信ランク、およびプリコーディングコードワードを選択し、ただし、プリコーディングコードワードは、ネットワーク機器に格納されたコードブックCoptからランダムに選択された行列である。
【００６５】
S304:ネットワーク機器が、変調モード、データ送信ランク、およびプリコーディングコードワードを、ユーザ機器へ送出する。
【００６６】
S305:ユーザ機器が、変調モード、データ送信ランク、プリコーディングコードワード、および、ローカルに格納されるコードブックCoptに従って、アップリンク送信増幅器の電力バックオフを決定し、データを送信する。
【００６７】
本発明の実施例によって提供されるアップリンク送信方法によれば、新しいコードブックCoptが出される。新しいコードブックの設計は、アップリンク送信増幅器の電力バックオフを低減し、よって、電力増幅器の電力損失を低減することが可能である。
【実施例１】
【００６８】
本発明の実施例1によって提供されるアップリンクプリコーディング方法は、例示のため、一例として、四位相偏移変調(QPSK)変調モードを取る。しかし、この実施例では、適用可能な変調モードはQPSK変調モードに限定されない。他の変調モードもまた、本発明の実施例において使用されうる。
【００６９】
本発明のこの実施例によるアップリンクプリコーディング方法で使用されるコードブックCoptは、以下の要素のうち1つまたは任意の組合せを含み、
【００７０】
【数１８】
0005472884.tif 000019
【００７１】
ただし、|α|=1、|β|=1、|γ|=1、かつ、α、β、γ∈Ψである。
【００７２】
例えば、説明のため、一例として、QPSKのシンボルセットΨ={±1,±j}、かつ、コードブックサイズN=16、かつ、ランク3が使用されると仮定することができる。
【００７３】
この実施例では、
【００７４】
【数１９】
0005472884.tif 000020
【００７５】
個のタイプのコードブックがトラバースされ、ただし、Mは、シンボルセットΨに含まれた要素の数である。前述の仮定において、Mは2であり、最小距離Dxは、公式
【００７６】
【数２０】
0005472884.tif 000021
【００７７】
に従って、各コードブックCxについて計算され、ただし、
【００７８】
【数２１】
0005472884.tif 000022
【００７９】
であり、かつ、
【００８０】
【数２２】
0005472884.tif 000023
【００８１】
は、コードブックCx内のi番目の行列(iは第1の行列からカウントされ、i=1,2,3,4,......,16)を表す。
【００８２】
次いで、最小距離Dxに対応する最大コードブックCoptが選択される。コードブックCoptは、以下の行列を含む。
【００８３】
【数２３】
0005472884.tif 000024
【００８４】
この実施例によれば、例えば、前述の方法に従って、コードブックCoptを取得するため、オフライン計算を行うためにコンピュータが使用されてもよく、あるいは、前述の方法に従って、高性能のネットワーク機器またはユーザ機器内で計算を行うことによって、コードブックCoptが取得されてもよい。
【００８５】
アップリンク送信では、本発明の実施例で提供されるコードブックCoptを使用することによって、逆高速フーリエ変換(IFFT)カウントが512であり、有効データカウントが300であると仮定し、公式
【００８６】
【数２４】
0005472884.tif 000025
【００８７】
に従って、QPSK変調モードでCM=3.2dBが得られる。CMは、電力バックオフを反映するメトリックである。すなわち、アップリンク送信増幅器の電力バックオフは、3.2dBである。従来技術における電力バックオフは、3.8dBである。本発明の実施例で提供されるコードブックCoptでは、QPSK変調モードにおいて、従来技術と比較して、0.6dBの電力利得が得られる。
【００８８】
加えて、何人かのユーザによって使用されたランク1コードブックについては、この実施例がさらに、前述のコードブックCopt内の任意の行列における任意の列がランク1コードブックCoptであると定義する場合、最適化された行列は以下の通りである。
【００８９】
【数２５】
0005472884.tif 000026
【００９０】
したがって、これらの行列はまた、何人かのユーザによって使用されたランク1コードブックにも適用されうる。
【００９１】
コードブックCoptがオフラインで計算される場合、計算されたコードブックCoptは、ユーザ機器およびネットワーク機器内で構成される必要がある。この実施例では、ネットワーク機器は、例えば、基地局でありうる。
【００９２】
図4を参照すると、本発明の一実施例において提供されるユーザ機器は、受信部401、格納部402、決定部403、および送信部404を含む。
【００９３】
受信部401は、ネットワーク機器から送出された変調モード、データ送信ランク、およびプリコーディングコードワードを受信するように構成され、ただし、プリコーディングコードワードは、ネットワーク機器に格納されたコードブックCoptからランダムに選択された行列であり、コードブックCoptは、以下の要素のうち1つまたは任意の組合せを含み、
【００９４】
【数２６】
0005472884.tif 000027
【００９５】
ただし、|α|=1、|β|=1、|γ|=1である。
【００９６】
格納部は、コードブックCoptを格納するように構成される。
【００９７】
決定部403は、変調モード、データ送信ランク、プリコーディングコードワード、および、格納部402によって格納されるコードブックCoptに従って、アップリンク送信増幅器の電力バックオフを決定するように構成される。
【００９８】
送信部404は、アップリンク送信増幅器の電力バックオフに従って、データを送信するように構成される。
【００９９】
本発明の実施例で提供されるユーザ機器は、新しいコードブックCoptに従って、新しいアップリンク送信増幅器の電力バックオフを決定することができる。アップリンク送信増幅器の電力バックオフは、現行のコードブックが使用されるときの電力バックオフより小さい。したがって、電力損失が低減される。
【０１００】
さらに、ユーザ機器は、
コードブックCoptを算出し、コードブックCoptを格納部402へ格納するように構成された計算部405を含んでもよい。
【０１０１】
さらに、受信部401は、コードブックCoptを受信し、コードブックCoptを格納部402へ格納するようにさらに構成される。
【０１０２】
図5を参照すると、本発明の一実施例において提供されるネットワーク機器は、選択部501、格納部502、および送出部503を含む。
【０１０３】
選択部501は、変調モード、データ送信ランク、およびプリコーディングコードワードを選択するように構成され、ただし、プリコーディングコードワードは、格納部502に格納されたコードブックCoptからランダムに選択された行列であり、コードブックCoptは、以下の要素のうち1つまたは任意の組合せを含み、
【０１０４】
【数２７】
0005472884.tif 000028
【０１０５】
ただし、|α|=1、|β|=1、|γ|=1である。
【０１０６】
格納部502は、コードブックCoptを格納するように構成される。
【０１０７】
送出部503は、変調モード、データ送信ランク、およびプリコーディングコードワードを、ユーザ機器へ送出するように構成される。
【０１０８】
本発明の実施例において提供されるネットワーク機器は、新しいコードブックCoptを格納する。新しいコードブックを使用することによって、ユーザ機器は、新しいアップリンク送信増幅器の電力バックオフを決定することができる。アップリンク送信増幅器の電力バックオフは、現行のコードブックが使用されるときの電力バックオフより小さい。したがって、電力損失が低減される。
【０１０９】
さらに、ネットワーク機器は、
コードブックCoptを算出し、コードブックCoptを格納部502へ格納するように構成された計算部504と、
コードブックCoptを受信し、コードブックCoptを格納部502へ格納するように構成された受信部505と、をさらに含みうる。
【０１１０】
図6を参照すると、本発明の一実施例において提供されるコードブック生成装置は、取得モジュール601、計算モジュール602、および選択モジュール603を含む。
【０１１１】
取得モジュール601は、以下の要素のうち1つまたは任意の組合せに従って、コードブックサイズNおよびシンボルセットΨを取得するように構成され、
【０１１２】
【数２８】
0005472884.tif 000029
【０１１３】
ただし、α、β、γ∈Ψ、|α|=1、|β|=1、|γ|=1、かつ、ΨはM個の要素を含む。
【０１１４】
計算モジュール602は、
【０１１５】
【数２９】
0005472884.tif 000030
【０１１６】
個のタイプのコードブックをトラバースし、最小距離Dx、
【０１１７】
【数３０】
0005472884.tif 000031
【０１１８】
を、各コードブックCxについて計算するように構成され、ただし、
【０１１９】
【数３１】
0005472884.tif 000032
【０１２０】
であり、かつ、
【０１２１】
【数３２】
0005472884.tif 000033
【０１２２】
は、コードブックCx内のi番目の行列を表す。
【０１２３】
選択モジュール603は、最小距離Dxに対応する最大コードブックCoptを選択するように構成される。
【０１２４】
本発明の実施例で提供されるコードブック生成装置は、新しいコードブックを生成することができる。この新しいコードブックを使用することによって、ユーザ機器は、新しいアップリンク送信増幅器の電力バックオフを決定することができる。アップリンク送信増幅器の電力バックオフは、現行のコードブックが使用されるときの電力バックオフより小さい。したがって、電力損失が低減される。
【０１２５】
上記は、本発明の例示的な実施例に過ぎない。本発明の保護範囲はそれに限定されない。本発明によって開示された技術的範囲内で当業者によって容易に導出される変形例または置換は、本発明の保護範囲内に入るべきである。したがって、本発明の保護範囲は、添付の特許請求の範囲によるものである。
【符号の説明】
【０１２６】
401  受信部
402  格納部
403  決定部
404  送信部
405  計算部
501  選択部
502  格納部
503  送出部
504  計算部
505  受信部
601  取得モジュール
602  計算モジュール
603  選択モジュール
【図１】
0005472884.tif 000051
【図２】
0005472884.tif 000052
【図３】
0005472884.tif 000053
【図４】
0005472884.tif 000054
【図５】
0005472884.tif 000055
【図６】
0005472884.tif 000056